(57)【要約】【課題】あらゆる方向から容易に袋を除袋でき、及び直射日光による果実の日焼けを防止できる果実二重袋を提供する。【解決手段】内袋２は略長方形のシート体の両端部８ａ，８ｂを重ね合わせてその上端部のみを接着して筒状に形成すると共に、重ね合わせた重なり部８を裏面に位置し、外袋３は有底で上端のみを開口し、内袋２及び外袋３の正面の上端中央に切欠き部２Ｄ，３Ｄを各々形成する。さらに、切欠き部２Ｄ，３Ｄの下方に口切り部４，５を各々設け、内袋２の正面の口切り部４に通じる第１の破線６を縦方向に設け、外袋３の正面のほぼ中央には口切り部５に通じる第２の破線７Ａを縦方向に設けると共に、外袋３の裏面のほぼ中央に第３の破線７Ｂを縦方向に設ける。果実二重袋１のいずれの方向からでも容易に除袋できる。【選択図】  図３
2004208658.tif 000002
【特許請求の範囲】
【請求項１】
外袋の内部に内袋を納めると共に、前記外袋に止金を設けた果実二重袋において、前記内袋は略長方形のシート体の両端部を重ね合わせてその上端部のみを接着して筒状に形成すると共に、前記重ね合わせた重なり部を裏面に位置し、前記外袋は有底で上端のみを開口し、前記内袋及び外袋の正面の上端中央に切欠き部を各々形成し、前記切欠き部の下方に口切り部を各々設けたことを特徴とする果実二重袋。
【請求項２】
外袋の内部に内袋を納めると共に、前記外袋に止金を設けた果実二重袋において、前記内袋は略長方形のシート体の両端部を重ね合わせてその上端部のみを接着して筒状に形成すると共に、前記重ね合わせた重なり部を裏面に位置し、前記外袋は有底で上端のみを開口し、前記内袋及び外袋の正面の上端中央に第１及び第２の切欠き部を各々形成し、前記切欠き部の下方に口切り部を各々設け、かつ内袋外側の正面左右と外袋内側の正面左右、及び内袋外側の裏面左右と外袋内側の裏面左右にそれぞれ接着部を設け、前記内袋の正面のほぼ中央に前記口切り部に通じる第１の破線を縦方向に設け、前記外袋の正面のほぼ中央には前記口切り部に通じる第２の破線を縦方向に設けると共に、前記外袋の裏面のほぼ中央に第３の破線を縦方向に設けたことを特徴とする果実二重袋。
【請求項３】
前記外袋の前記第２の破線と前記第３の破線がつながるように設けられたことを特徴とする請求項２記載の果実二重袋。
【請求項４】
前記内袋の前記第１の破線と前記外袋の前記第２の破線が対向し、前記内袋の前記重なり部と前記外袋の前記第３の破線が対向していることを特徴とする請求項２記載の果実二重袋。
【発明の詳細な説明】
【０００１】
【発明の属する技術分野】
本発明は、特にりんごの果実に使用する果実二重袋に関する。
【０００２】
【従来の技術】
従来、この種のものとして、登録実用新案３０５３３９８号公報には、有底の外袋の内部に内袋を納めた二重袋であって、該内袋はシート体の両縁部を重ね合わせてその上部を点状または線状に接着してほぼ筒状に固定し、該内袋の重なり部が外袋の表面側に位置するようにし、前記重なり部のシート体のいずれか一方の端縁部に沿って内袋の上縁より切り込み部を形成し、該切り込み部を前記外袋の表面側にその口縁のほぼ中央部から設けた切り込み部に隣接するように配置した果実用二重袋がある。
【０００３】
【特許文献１】
登録実用新案３０５３３９８号公報
【０００４】
【発明が解決しようとする課題】
しかしながら、こうした構造の果実二重袋は内袋の重なり部が袋口部の切り込み部近傍に位置しているために、果梗を切り込み部に入れて袋の口を集束する際、この重なり部が障害となり集束しにくく、確実に止金の固定ができない場合も多いという問題があった。
【０００５】
また、この従来の果実二重袋では、外袋の表面側から底部を経て背面側の上端部へと縦方向に延びる切り裂き線が設けてあるが内袋には表面側及び背面側の何れにも前記切り裂き線が設けられていないために、袋の正面の一方向から除袋し易くても反対方向からの除袋作業は困難であるといった問題もあった。特に、除袋作業の際、農家の高齢化や人手不足等の理由からあらゆる方向からでも容易に除袋できる果実用二重袋が望まれていた。
【０００６】
一方、直射日光の強く当たる場所で、太陽光の強く当たる面のみ果実二重袋を掛けその反対側から袋を裂き、果実と袋の間に隙間をあけ外気に慣らし、日焼け防止をすることは困難であるといった問題もあった。
【０００７】
本発明は上記問題点を解決しようとするものであり、あらゆる方向からでも容易に袋を除袋でき、及び直射日光による果実の日焼けを防止できる果実二重袋を提供することを目的とする。
【０００８】
【課題を解決するための手段】
本発明の請求項１の発明は、外袋の内部に内袋を納めると共に、前記外袋に止金を設けた果実二重袋において、前記内袋は略長方形のシート体の両端部を重ね合わせてその上端部のみを接着して筒状に形成すると共に、前記重ね合わせた重なり部を裏面に位置し、前記外袋は有底で上端のみを開口し、前記内袋及び外袋の正面の上端中央に切欠き部を各々形成し、前記切欠き部の下方に口切り部を各々設けたものである。
【０００９】
この請求項１の構成によれば、果実二重袋の正面には障害となるものがなく果実二重袋の開口部を容易に集束して、止金で止着することができ、袋掛け作業の能率を上げることができる。
【００１０】
また、本発明の請求項２記載の発明は、外袋の内部に内袋を納めると共に、前記外袋に止金を設けた果実二重袋において、前記内袋は略長方形のシート体の両端部を重ね合わせてその上端部のみを接着して筒状に形成すると共に、前記重ね合わせた重なり部を裏面に位置し、前記外袋は有底で上端のみを開口し、前記内袋及び外袋の正面の上端中央に第１及び第２の切欠き部を各々形成し、前記切欠き部の下方に口切り部を各々設け、かつ内袋外側の正面左右と外袋内側の正面左右、及び内袋外側の裏面左右と外袋内側の裏面左右にそれぞれ接着部を設け、前記内袋の正面のほぼ中央に前記口切り部に通じる第１の破線を縦方向に設け、前記外袋の正面のほぼ中央には前記口切り部に通じる第２の破線を縦方向に設けると共に、前記外袋の裏面ほぼ中央に第３の破線を縦方向に設けたものである。
【００１１】
この請求項２の構成によれば、正面側では第１と第２の破線により、一方裏面側では第３の破線と重なり部により果実二重袋の正面および裏面のいずれの方向からでも容易に果実二重袋を除袋できる。さらに、果実二重袋を半除袋することによって、直射日光の強く当たる場所で、太陽光の当たる面のみ果実二重袋を掛けその反対面のみを露出し外気に慣らし、日焼けによる被害を避けることができる。
【００１２】
さらに、本発明の請求項３記載の発明は、請求項２記載の果実二重袋において、前記外袋の前記第２の破線と前記第３の破線がつながるように設けられたものである。
【００１３】
この請求項３の構成によれば、果実二重袋の内袋と外袋とを容易に除袋することができ、半除袋も容易に行うことができる。
【００１４】
また、本発明の請求項４記載の発明は、請求項２記載の果実二重袋において、前記内袋の前記第１の破線と前記外袋の前記第２の破線が対向し、前記内袋の前記重なり部と前記外袋の前記第３の破線が対向しているものである。
【００１５】
この請求項４の構成によれば、果実二重袋の内袋と外袋とを同時にかつ容易に除袋するでき、半除袋も容易に行うことができる。
【００１６】
【発明の実施形態】
以下、本発明の実施例について、添付図面を参照しながら説明する。図１〜図６は本発明の一実施例を示し、果実二重袋１は外袋３の内部に内袋２を納めてなり、前記内袋２及び外袋３には内袋２の正面２Ａ及び外袋３の正面３Ａの上端２Ｃの中央部に弧状の切欠き部２Ｄ及び３Ｄが各々設けられている。これらの切欠き部２Ｄ及び３Ｄは果実Ａの袋掛けの際、容易に内袋２及び外袋３を開口するためのものである。
【００１７】
また、内袋２には第１の切欠き部２Ｄの下方に果実Ａの果梗Ｂを挿入する口切り部４が設けてあり、この口切り部４に通じる位置に、内袋２の正面２Ａに第１の破線６が設けられている。この第１の破線６はミシン目、ルーレットによる圧線又は切り込み等で形成されるものである。さらに、内袋２には内袋２の裏面２Ｂのほぼ中央に略長方形のシート体の両端部８ａ，８ｂを重ね合わせてなる重なり部８が設けられており、筒状に形成され、重なり部８は上端２Ｃ近傍の接着部９により糊付け接続し、固定されている。そして果実Ａが生育、肥大し、それに伴って果実二重袋１が横方向に広がった時、この重なり部８が離れないように形成している。また内袋２は外袋３に収納できるようやや小さめに形成されている。さらに、内袋２は、適当な色を有するパラフィン紙もしくは耐水、撥水処理を施した紙により形成されている。
【００１８】
外袋３は、左右両側の貼代１１において貼り合わせており有底で、上端２Ｃのみを開口した袋であって、前記外袋３には、内袋２と同様に第２の切欠き部３Ｄの下方に果実Ａの果梗Ｂを挿入する口切り部５が設けてあり、この口切り部５に通じる位置に、外袋３の正面３Ａのほぼ中央には口切り部５に通じる第２の破線７Ａを縦方向に設けると共に、外袋３の裏面３Ｂほぼ中央に第２の破線７Ａにつながる第３の破線７Ｂが設けられている。尚、第２の破線７Ａおよび第３の破線７Ｂはミシン目、ルーレットによる圧線又は切り込み等で形成されるものである。外袋３に内袋２を収納した際、第１の破線６と第２の破線７Ａが対向し、重なり部８と第３の破線７Ｂとが対向しており、これらはほぼ同一直線上に位置していることが好ましいが、果実二重袋１の製造上多少、例えば５ｍｍ程度ずれていてもよい。
【００１９】
そして、内袋２の外側および外袋３の内側は、上端２Ｃ中央の第１の破線６と重なり部８を挟んだ左右両側、及びそれに対向する上端２Ｃ中央の第２の破線７Ａと第３の破線７Ｂを挟んだ左右両側の接着部１２，１２Ａ、１３，１３Ａ、１４，１４Ａ、１５，１５Ａ及び下端２Ｃ’中央の第１の破線６と重なり部８を挟んだ左右両側、及び下端２Ｃ’中央の第２の破線７Ａと第３の破線７Ｂを挟んだ左右両側の接着部１６，１６Ａ、１７，１７Ａ、１８，１８Ａ、１９，１９Ａにより互いに接着し、固定している。尚、前記接着は糊などの接着剤により固定されている。
【００２０】
さらに、外袋３の右方向の貼代１１の上端部には結縛用の止金１０が封止されている。
【００２１】
前記構成の果実二重袋１は次のように使用する。まず、果実二重袋１の袋口を開ける際、第１の切欠き部２Ｄおよび第２の切欠き部３Ｄに指を掛けるだけで容易に袋口を開口することができるため袋掛け作業の準備段階の作業効率を上げることができる。次に、図４に示すように、果実Ａを袋内部に収納した後、前記口切り部４，５に果梗Ｂを挿入し、次いで該果梗Ｂ上で果実二重袋１の上端２Ｃ開口部位を集束すると共に、該集束部を前記止金１０で結縛すれば、袋掛け作業が終了する。この構成上、果実二重袋１の裏面に内袋２の重なり部８が形成されているので、果実二重袋１の正面には障害となるものがなく果実二重袋１の開口部を容易に集束することができ、袋掛け作業の能率を上げることができる。一方、重なり部８が果実二重袋１の裏面に位置するため前記重なり部８が障害とならずに集束し易く、止金１０の固定が確実となることより、除袋期まで果実Ａを病害、害虫、害鳥及び散布農薬等の汚染から保護することができる。
【００２２】
次に、一定期間を経過すると、果実二重袋１内の果実Ａは生育し、肥大するから、それに伴って果実二重袋１は横方向に拡大し、図４に示すように、果実二重袋１の下端両角Ｚ，Ｔが突出してくる。尚、果実Ａは幼果期から成熟期に至る大半の期間を外袋３で遮光された状態となっている。果実Ａが幼果であっても接着部１２，１２Ａ、１３，１３Ａ、１４，１４Ａ、１５，１５Ａ、１６，１６Ａ、１７，１７Ａ、１８，１８Ａ、１９，１９Ａにより外袋３と内袋２とが密着しているので、果実Ａの生育途中で強風に晒されても外袋３と内袋２との間に風が入り込むことがなく、除袋期まで外袋３と内袋２とが一体となった状態を維持できる。そして、果実Ａの成熟期を迎えると果実二重袋１の下端両角Ｚ，Ｔを左右に引くと二つに裂かれ容易に除袋できる。すなわち、外袋３の正面３Ａに第１の破線７Ａと、裏面３Ｂに第２の破線７Ｂと、内袋２の正面２Ａに破線６とを設けているため、果実二重袋１の正面側からだけでなく裏面側からでも容易に除袋できる。したがって、任意の箇所にある果実Ａに左右されずに、果実二重袋１の正面および裏面から容易に果実二重袋１を除袋できる。
【００２３】
一方、果実二重袋１の第１の破線７Ａを挟んで中央部にある摘み部Ｘ，Ｙを左右に引き半除袋することによって、直射日光の強く当たる場所で、太陽光の当たる面のみ果実二重袋１を掛けその反対面のみを露出し外気に慣らし、日焼けによる被害を避けることができる。
【００２４】
このように本実施例では、請求項１に対応して、外袋３の内部に内袋２を納めると共に、前記外袋３に止金１０を設けた果実二重袋１において、前記内袋２は略長方形のシート体の両端部８ａ，８ｂを重ね合わせてその上端部のみを接着部９により接着して筒状に形成すると共に、重ね合わせた重なり部８を裏面２Ｂに位置し、外袋３は有底で上端２Ｃのみを開口し、内袋２及び外袋３の正面２Ａ，３Ａの上端中央に第１の切欠き部２Ｄと第２の切欠き部３Ｄを各々形成し、前記第１の切欠き部２Ｄと第２の切欠き部３Ｄの下方に口切り部４，５を各々設けたので、果実二重袋１の正面には障害となるものがなく果実二重袋１の開口部を容易に集束することができ、袋掛け作業の能率を上げることができる。また、止金１０の固定が確実となることより、除袋期まで果実Ａを病害、害虫、害鳥及び散布農薬等の汚染から保護することができる。
【００２５】
また、請求項２に対応して、外袋３の内部に内袋２を納めると共に、外袋３に止金１０を設けた果実二重袋１において、内袋２は略長方形のシート体の両端部８ａ，８ｂを重ね合わせてその上端部のみを接着して筒状に形成すると共に、前記重ね合わせた重なり部８を裏面２Ｂに位置し、前記外袋３は有底で上端のみを開口し、内袋２及び外袋３の正面２Ａ，３Ａの上端中央に第１の切欠き部２Ｄと第２の切欠き部３Ｄを各々形成し、切欠き部２Ｄ，３Ｄの下方に口切り部４，５を各々設け、かつ内袋外側の正面左右と外袋内側の正面左右、及び内袋外側の裏面左右と外袋内側の裏面左右にそれぞれ接着部１２，１２Ａ、１３，１３Ａ、１６，１６Ａ、１７，１７Ａ、１４，１４Ａ、１５，１５Ａ、１８，１８Ａ、１９，１９Ａ設け、内袋２の正面２Ａのほぼ中央に口切り部４に通じる第１の破線６を縦方向に設け、外袋３の正面３Ａのほぼ中央には口切り部５に通じる第２の破線７Ａを縦方向に設けると共に、外袋３の裏面３Ｂほぼ中央に第３の破線７Ｂを縦方向に設けたので、正面側では第１と第２の破線６，７Ａにより、一方裏面側では第３の破線７Ｂと重なり部８により果実二重袋１の正面および裏面のいずれの方向からでも下端両角Ｚ，Ｔを左右に引くことにより二つに裂かれ容易に除袋できる。さらに、果実二重袋１の第１及び第２の破線６，７Ａを挟んで中央部にある摘み部Ｘ，Ｙを両手親指で左右に引き半除袋することによって、太陽光の当たる面のみ果実二重袋１を掛けその反対面のみを露出し外気に慣らし、直射日光の強く当たる場所での日焼けによる被害を避けることができる。
【００２６】
さらに、請求項３に対応して、請求項２の果実二重袋１において、外袋３の第２の破線７Ａと第３の破線７Ｂがつながるように設けられたので、果実二重袋の内袋と外袋とを容易に除袋するでき、半除袋も容易に行うことができる。
【００２７】
また、請求項４に対応して、請求項２の果実二重袋１において、内袋２の第１の破線６と外袋３の第２の破線７Ａが対向し、内袋２の重なり部８と外袋３の第３の破線７Ｂが対向しているので、果実二重袋の内袋と外袋とを同時にかつ容易に除袋するでき、半除袋も容易に行うことができる。
【００２８】
なお、本発明は前記実施例に限定されるものではなく、種々の変形実施が可能である。例えば、正面側の上端に設ける第１及び第２の切欠き部２Ｄ，３Ｄの形状は、実施例で示した略弧状に限定されず、Ｖ字状やＵ字状などの各種形状を選定可能である。
【００２９】
【発明の効果】
本発明の請求項１記載の発明は、外袋の内部に内袋を納めると共に、前記外袋に止金を設けた果実二重袋において、前記内袋は略長方形のシート体の両端部を重ね合わせてその上端部のみを接着して筒状に形成すると共に、前記重ね合わせた重なり部を裏面に位置し、前記外袋は有底で上端のみを開口し、前記内袋及び外袋の正面の上端中央に切欠き部を各々形成し、前記切欠き部の下方に口切り部を各々設けたものであるので、果実二重袋の正面には障害となるものがなく果実二重袋の開口部を容易に集束することができ、袋掛け作業の能率を上げることができる。一方、止金の固定が確実となることより、除袋期まで果実を病害、害虫、害鳥及び散布農薬等の汚染から保護することができる。
【００３０】
本発明の請求項２記載の発明は、外袋の内部に内袋を納めると共に、前記外袋に止金を設けた果実二重袋において、前記内袋は略長方形のシート体の両端部を重ね合わせてその上端部のみを接着して筒状に形成すると共に、前記重ね合わせた重なり部を裏面に位置し、前記外袋は有底で上端のみを開口し、前記内袋及び外袋の正面の上端中央に第１及び第２の切欠き部を各々形成し、前記切欠き部の下方に口切り部を各々設け、かつ内袋外側の正面左右と外袋内側の正面左右、及び内袋外側の裏面左右と外袋内側の裏面左右にそれぞれ接着部を設け、前記内袋の正面のほぼ中央に前記口切り部に通じる第１の破線を縦方向に設け、前記外袋の正面のほぼ中央には前記口切り部に通じる第２の破線を縦方向に設けると共に、外袋の裏面ほぼ中央に第３の破線を縦方向に設けたものであるので、正面側では第１と第２の破線により、一方裏面側では第３の破線と重なり部により果実二重袋の正面および裏面のいずれの方向からでも下端両角を左右に引くことにより二つに裂かれ容易に除袋できる。さらに、果実二重袋の破線を挟んで中央部にある摘み部を左右に引き半除袋することによって、太陽光の当たる面のみ果実二重袋を掛けその反対面のみを露出し外気に慣らし、直射日光の強く当たる場所での日焼けによる被害を避けることができる。
【００３１】
本発明の請求項３記載の発明は、前記外袋の第２の破線と第３の破線がつながるように設けられたものであるので、果実二重袋の内袋と外袋とを容易に除袋するでき、半除袋も容易に行うことができる。
【００３２】
本発明の請求項４記載の発明は、請求項２記載の果実二重袋において、前記内袋の第１の破線と前記外袋の第２の破線が対向し、内袋の前記重なり部と前記外袋の第３の破線が対向しているので、果実二重袋の内袋と外袋とを同時にかつ容易に除袋するでき、半除袋も容易に行うことができる。
【００３３】
【図面の簡単な説明】
【図１】本発明の一実施例を示す内袋の斜視図である。
【図２】本発明の一実施例を示す外袋の斜視図である。
【図３】本発明の一実施例を示す果実二重袋の斜視図である。
【図４】本発明の一実施例を示す縦断面図である。
【図５】本発明の一実施例を示す使用状態を示す斜視図である。
【図６】本発明の一実施例を示す除袋状態を示す斜視図である。
【図７】本発明の一実施例を示す半除袋状態を示す斜視図である。
【符号の説明】
１    果実二重袋
２    内袋
２Ａ  正面
２Ｂ  裏面
２Ｃ  上端
２Ｄ  第１の切欠き部
３    外袋
３Ａ  正面
３Ｂ  裏面
３Ｄ  第２の切欠き部
４    口切り部
５    口切り部
６    第１の破線
７Ａ  第２の破線
７Ｂ  第３の破線
８    重なり部
９    接着部
１０    止金
【図１】
2004208658.tif 000003
【図２】
2004208658.tif 000004
【図３】
2004208658.tif 000005
【図４】
2004208658.tif 000006
【図５】
2004208658.tif 000007
【図６】
2004208658.tif 000008
【図７】
2004208658.tif 000009